【手続補正書】
【提出日】平成20年1月9日(2008.1.9)
【手続補正１】
【補正対象書類名】明細書
【補正対象項目名】特許請求の範囲
【補正方法】変更
【補正の内容】
【特許請求の範囲】
【請求項１】 断層画像形成のためのプログラムで符号化されたコンピュータ読み取り可能な媒体であって、前記プログラムは、 それぞれの異なるデータ取得サイクルにおいて収集された初期投影データに基づいて、選択されたビュー角度での物体（１０６）の複数の作業用投影ビュー（９１０、９２０）を決定する命令と、 選択されたビュー角度での前記物体の補間投影ビュー（９００）を生成するように前記作業用投影ビュー（９１０、９２０）の間を補間する命令とを含んでいるコンピュータ読み取り可能な媒体。
【請求項２】 前記物体（１０６）は前記初期投影データの収集中に周期的な運動しており、 前記決定する手順のための命令は、前記選択されたビュー角度及び前記周期的な運動の所定の時相に基づいて前記初期投影データの投影ビューから各々の作業用投影ビュー（９１０、９２０）を選択する命令を含んでおり、これにより、前記補間投影ビュー（９００）が、前記選択されたビュー角度及び前記周期的な運動の前記所定の時相にある前記物体（１０６）を表わすものとなる請求項１に記載のコンピュータ読み取り可能な媒体。
【請求項３】 前記複数の作業用投影ビュー（９１０、９２０）は、２回の連続したデータ取得サイクルにおいて収集された初期投影データにそれぞれ基づく２つの投影ビューから成っている請求項１に記載のコンピュータ読み取り可能な媒体。
【請求項４】 前記初期投影データは、前記物体（１０６）を透過したエネルギ線の強度を表わしている請求項１に記載のコンピュータ読み取り可能な媒体。
【請求項５】 前記作業用投影ビュー（９１０、９２０）は、同時収集されたタイミング・データに基づいて前記初期投影データから選択される投影ビューを含んでいる請求項１に記載のコンピュータ読み取り可能な媒体。
【請求項６】 検出器アレイにより物体から収集された初期投影データを記憶する記憶装置（１３４、１４４）と、 それぞれの異なるデータ取得サイクルにおいて収集された初期投影データに基づいて、選択されたビュー角度での物体（１０６）の複数の作業用投影ビュー（９１０、９２０）を決定し、前記選択されたビュー角度での前記物体（１０６）の補間投影ビュー（９００）を生成するように前記作業用投影ビュー（９１０、９２０）の間を補間するプロセッサ（１３２、１４２）とを備えた断層画像形成装置（１３０、１４０）。
【請求項７】 前記物体（１０６）は前記初期投影データの収集中に周期的な運動をしており、 前記プロセッサ（１３２）は、前記選択されたビュー角度及び前記周期的な運動の所定の時相に基づいて前記初期投影データの投影ビューから各々の作業用投影ビューを選択することにより前記作業用投影ビュー（９１０、９２０）を決定し、これにより、前記補間投影ビュー（９００）が、前記選択されたビュー角度及び前記周期的な運動の前記所定の時相にある前記物体（１０６）を表わすものとなる請求項６に記載の装置（１３０、１４０）。
【請求項８】 前記物体（１０６）は前記初期投影データの収集中に周期的な運動をしており、 前記複数の作業用投影ビュー（９１０、９２０）は、２回の連続したデータ取得サイクルにおいて収集された初期投影データにそれぞれ基づく２つの投影ビューから成っている請求項６に記載の装置（１３０、１４０）。
【請求項９】 前記投影データは、前記物体（１０６）を透過したエネルギ線から収集される請求項６に記載の装置（１３０、１４０）。
【請求項１０】 前記作業用投影ビュー（９１０、９２０）は、同時収集されたタイミング・データに基づいて前記初期投影データから選択される投影ビューを含んでいる請求項６に記載の装置（１３０、１４０）。
【請求項１１】 物体（１０６）の初期投影データを生成する検出器アレイ（１１６）と、 それぞれの異なるデータ取得サイクルにおいて収集された初期投影データに基づいて、選択されたビュー角度での物体（１０６）の複数の作業用投影ビュー（９１０、９２０）を決定し、前記選択されたビュー角度での前記物体（１０６）の補間投影ビュー（９００）を生成するように前記作業用投影ビュー（９１０、９２０）の間を補間するプロセッサ（１３２、１４２）を含むコンピュータ（１３０、１４０）とを備えた断層画像形成システム（１００）。
【請求項１２】 前記物体（１０６）は前記初期投影データの収集中に周期的な運動をしており、 前記プロセッサ（１３２、１４２）は、前記選択されたビュー角度及び前記周期的な運動の所定の時相に基づいて前記初期投影データの投影ビューから各々の作業用投影ビューを選択することにより前記作業用投影ビュー（９１０、９２０）を決定し、これにより、前記補間投影ビュー（９００）が、前記選択されたビュー角度及び前記周期的な運動の前記所定の時相にある前記物体（１０６）を表わすものとなる請求項１１に記載のシステム（１００）。
【請求項１３】 前記複数の作業用投影ビュー（９１０、９２０）は、２回の連続したデータ取得サイクルにおいて収集された初期投影データにそれぞれ基づく２つの投影ビューから成っている請求項１１に記載のシステム（１００）。
【請求項１４】 前記初期投影データは、前記物体（１０６）を透過したエネルギ線の強度を表わしている請求項１１に記載のシステム（１００）。
【請求項１５】 前記作業用投影ビューは、同時収集されたタイミング・データに基づいて前記初期投影データから選択される投影ビューを含んでいる請求項１１に記載のシステム（１００）。
【請求項１６】 周期的な運動をしている物体について、前記周期的な運動の所定の時相及び選択されたビュー角度に関連する初期投影データを記憶する記憶装置（１３４、１４４）と、 当該物体（１０６）から収集された初期投影データに基づいて、周期的な運動をしている物体（１０６）について、それぞれの異なるデータ取得サイクルにおいて収集された選択された初期投影データに基づいている複数の作業用投影ビュー（９１０、９２０）を決定すると共に、前記選択されたビュー角度及び前記周期的な運動の所定の時相にある前記物体（１０６）を表わす補間投影ビュー（９００）を生成するように前記作業用投影ビュー（９１０、９２０）の間を補間するプロセッサ（１３２、１４２）とを備えた断層画像形成装置。
【請求項１７】 被撮像体（１１２２）に照射されるＸ線のコーン・ビーム（１１０４）を発生するＸ線源（１１１４）と、 該Ｘ線源（１１１４）から前記被撮像体（１１２２）を透過したＸ線を受光して、該受光したＸ線から初期投影データを生成するマルチ検出器アレイ（２１１６）であって、前記被撮像体（１１２２）の少なくとも一部が周期的な運動をしており、前記初期投影データは前記周期的な運動の所定の時相及び選択されたビュー角度に対応している、マルチ検出器アレイ（２１１６）と、 前記被撮像体（１１２２）から収集された初期投影データに基づいて、周期的な運動をしている前記少なくとも一部について、それぞれの異なるデータ取得サイクルにおいて収集された選択された初期投影データに基づいている複数の作業用投影ビュー（９１０、９２０）を決定すると共に、前記選択されたビュー角度及び前記周期的な運動の所定の時相にある前記被撮像体（１１２２）の前記少なくとも一部を表わす補間投影ビュー（９００）を生成するように前記作業用投影ビュー（９１０、９２０）の間を補間するコンピュータ（１３０、１４０）とを備えた断層画像形成システム（１００）。